(57)【要約】【課題】絵の具を調色して所望の色を再現するための情報をユーザに対して提供する。【解決手段】調色情報提供装置が、画像上でユーザが選択した部分の色を解析する解析手段と、前記ユーザが選択した部分の色を絵の具の調色により再現するための情報である調色情報を、前記解析手段による解析結果に基づいて算出する算出手段と、前記算出した調色情報を出力する出力手段と、を備える。【選択図】図１５
2018101254.tif 000002
【特許請求の範囲】
【請求項１】
画像上でユーザが選択した部分の色を解析する解析手段と、
前記ユーザが選択した部分の色を絵の具の調色により再現するための情報である調色情報を、前記解析手段による解析結果に基づいて算出する算出手段と、
前記算出した調色情報を出力する出力手段と、
を備えることを特徴とする調色情報提供装置。
【請求項２】
前記調色情報は、前記ユーザが選択した部分の色を調色により再現するために用いる絵の具が何れであるのかと該絵の具の調色比率とを特定した情報を含むことを特徴とする請求項１に記載の調色情報提供装置。
【請求項３】
前記調色情報は、前記ユーザが選択した部分の色を調色により再現するために用いる絵の具と薄め液の比率を示す度合いである、薄め度合いを特定した情報を含むことを特徴とする請求項１に記載の調色情報提供装置。
【請求項４】
前記画像は光の三原色で表示されるものであり、該光の三原色を少なくとも色料の三原色を含んだ色に変換した情報に基づいて、前記調色情報を算出することを特徴とする請求項１乃至３の何れか１項に記載の調色情報提供装置。
【請求項５】
前記少なくとも色料の三原色を含んだ色と、該少なくとも色料の三原色を含んだ色を調色により再現するために用いる絵の具が何れであるのかと該絵の具の調色比率とを対応付けた情報に基づいて、前記調色情報を算出することを特徴とする請求項４に記載の調色情報提供装置。
【請求項６】
前記ユーザから前記画像上の複数箇所の選択を受け付け、該選択を受け付けた複数箇所により特定される範囲に含まれる各画素の色の平均した色を前記解析手段による前記解析の対象とすることを特徴とする請求項１乃至５の何れか１項に記載の調色情報提供装置。
【請求項７】
前記画像上でユーザが選択した部分と、同一又は近似する色の部分も前記ユーザに選択されたとして取り扱うことを特徴とする請求項１乃至６の何れか１項に記載の調色情報提供装置。
【請求項８】
前記画像を表示する第３のレイヤと、前記第３のレイヤに表示される前記画像に重畳して所定の情報を表示する第２のレイヤと、ユーザによる操作を受け付ける第３のレイヤと、を生成し、
該生成した３つのレイヤを、ユーザの視線から近い順に第１のレイヤ、第２のレイヤ、第３のレイヤとして並べて表示することを特徴とする請求項１乃至７の何れか１項に記載の調色情報提供装置。
【請求項９】
コンピュータが行う調色情報提供方法であって、
画像上でユーザが選択した部分の色を解析する解析ステップと、
前記ユーザが選択した部分の色を絵の具の調色により再現するための情報である調色情報を、前記解析ステップにおける解析結果に基づいて算出する算出ステップと、
前記算出した調色情報を出力する出力ステップと、
を備えることを特徴とする調色情報提供装置。
【請求項１０】
コンピュータを調色情報提供装置として機能させるための調色情報提供プログラムであって、
前記コンピュータを、
画像上でユーザが選択した部分の色を解析する解析手段と、
前記ユーザが選択した部分の色を絵の具の調色により再現するための情報である調色情報を、前記解析手段による解析結果に基づいて算出する算出手段と、
前記算出した調色情報を出力する出力手段と、
を備える調色情報提供装置として機能させることを特徴とする調色情報提供プログラム。
【発明の詳細な説明】
【技術分野】
【０００１】
本発明は、調色情報を提供するための、調色情報提供装置、調色情報提供方法及び調色情報提供プログラムに関する。
【背景技術】
【０００２】
絵の具を用いて美しい風景等の絵を描くことが、趣味として一般に広く普及している。また、近年では、デジタルカメラ等で撮影した画像やインターネットを介して取得した画像をディスプレイ上に静止画として表示して、この静止画を参照しながら絵を描くようなことも行われている。
【０００３】
このような背景もあり、パーソナルコンピュータ等により、デジタル空間のキャンバス上で、水彩画又は油絵などのペインティングを模した擬似的な描画を行なうアプリケーションが存在する（例えば、特許文献１参照。）。
【０００４】
特許文献１に記載のアプリケーションを利用すれば、ユーザインタフェース上に設けられたパレット・エリアにて、光の三原色であるＲ（赤）Ｇ（緑）Ｂ（青）で定義される複数のインクを混合・調色したり濃淡を調整したりすることができる。そして、このように混合・調色したり濃淡を調整したりしたインクを用いて、デジタル空間のキャンパス上で所望の絵を描くことができる。
【先行技術文献】
【特許文献】
【０００５】
【特許文献１】特開２００３−２５６８５９号公報
【発明の概要】
【発明が解決しようとする課題】
【０００６】
上述したように特許文献１に記載の技術等を用いることにより、調色したインクを用いて絵を描くことができる。しかしながら、これはあくまでデジタル空間上で、ＲＧＢで定義されるインクにて絵を描いているに過ぎない。
【０００７】
これに対して、実際に水彩絵の具等で画用紙の上に絵を描く場合には、見たままの色、感じた色をなかなか再現できないという問題が生じる。その理由について以下説明をする。
【０００８】
美しい風景を観た場合、調色の観点からすると、風景の色は光の三原色のＲ（赤）Ｇ（緑）Ｂ（青）で構成されている。これらは混ぜれば混ぜるほど色が明るくなり、白色に近づいていくため「加法混色」と云われている。
【０００９】
しかし、この美しい風景を、絵の具を用いて画用紙に描こうとすると、この光の三原色ではなく色料の三原色であるＣ（シアン）Ｍ（マゼンダ）Ｙ（イエロー）、そしてＫ（ブラック）に置き換える必要がある。この色料の三原色であるＣＭＹは混ぜれば混ぜるほど濁った灰色になっていくので、「減法混色」と云われている。また、この色料の三原色を混ぜても灰色にしかならないので、更に黒であるＫを用いて色彩を表現する。
【００１０】
この点、ＲＧＢとＣＭＹＫでは、それぞれが再現できる色の領域が異なり、ＲＧＢの方が表現できる領域が広く、ＣＭＹＫの方が表現できる領域が狭い。例えば、デジタルカメラで撮影してディスプレイなどで再現する場合は、表現方法がＲＧＢのため表現できる領域が広い。そのため、特許文献１等に記載の技術のように、ＲＧＢで定義されるインクを用いるのならば比較的色の再現が容易である。
【００１１】
しかし同じデータを、実際に絵の具で描く場合には、表現できる領域が狭いＣＭＹＫで表現する必要があるため、再現できない領域の色を他の色に置き換えることとなる。もっとも、このようにしてＣＭＹＫで表現したものは、ＲＧＢで表現されたものと比較するとくすんでしまう。そのため、実際に絵の具で調色を行って所望の色を再現するのは、困難であると言える。
このように、ＲＧＢとＣＭＹＫとの違いがあることに加えて、色を再現する調色の感覚は人それぞれであり、一律に定まるものではない。
【００１２】
そのため、風景や画像データを水彩絵の具などで再現しようとしても、どの絵の具をどのような割合で混ぜたら見たままの色、感じた色が再現できるのか分からずに忠実に再現する事が出来ない場合が多い。
【００１３】
また、例えばインターネットやデジタルカメラでは、色見本と、その色見本のカラーコードとが示されている。この色見本及びカラーコードを参照すれば、見たままの色や感じた色に対応する色見本を選択して、その選択した色をカラーコードで再現することができる。しかし、この色見本及びカラーコードを参照しても、どの絵の具を混ぜたら見たままの色、感じた色が再現できるのかは分からなかった。
【００１４】
以上をまとめると、絵の具を調色することにより、色を再現するというのは困難であり、例えば趣味として水彩画等を描こうとしても、絵の具の調色知識が無いために、見たままの色、感じた色が再現できなかった。また、仮に色を再現できたとしても絵の具の調色知識が無いために、必要以上の絵の具を無駄に消費してしまうという問題があった。
【００１５】
結果として、水彩画等を描こうとしても、絵の具の調色知識が無いために、絵を完成することをあきらめてしまうこととなる。例えば、絵の具の調色知識が無いために、とりあえず絵の具を調色して彩色しても風景やデジタルカメラ等により撮影した写真の画像データまたはインターネット等を介して取得して保存した静止画の画像データの様にはならない事が容易に予想できるので、絵を描くこと自体を避けるようになる。
【００１６】
加えて、水彩絵の具などは、調色の配合の際薄め液（水彩絵の具の場合は、水）の分量により質感や色の透過度が異なるという特性もあるの、さらに調色を難しくなる。
【００１７】
そこで本発明は、絵の具を調色して所望の色を再現するための情報をユーザに対して提供するための、調色情報提供装置、調色情報提供方法及び調色情報提供プログラムを提供することを目的とする。
【課題を解決するための手段】
【００１８】
本発明の第１の観点によれば、画像上でユーザが選択した部分の色を解析する解析手段と、前記ユーザが選択した部分の色を絵の具の調色により再現するための情報である調色情報を、前記解析手段による解析結果に基づいて算出する算出手段と、前記算出した調色情報を出力する出力手段と、を備えることを特徴とする調色情報提供装置が提供される。
【００１９】
本発明の第２の観点によれば、コンピュータが行う調色情報提供方法であって、画像上でユーザが選択した部分の色を解析する解析ステップと、前記ユーザが選択した部分の色を絵の具の調色により再現するための情報である調色情報を、前記解析ステップにおける解析結果に基づいて算出する算出ステップと、前記算出した調色情報を出力する出力ステップと、を備えることを特徴とする調色情報提供装置が提供される。
【００２０】
本発明の第３の観点によれば、コンピュータを調色情報提供装置として機能させるための調色情報提供プログラムであって、前記コンピュータを、画像上でユーザが選択した部分の色を解析する解析手段と、前記ユーザが選択した部分の色を絵の具の調色により再現するための情報である調色情報を、前記解析手段による解析結果に基づいて算出する算出手段と、前記算出した調色情報を出力する出力手段と、を備える調色情報提供装置として機能させることを特徴とする調色情報提供プログラムが提供される。
【発明の効果】
【００２１】
本発明によれば、絵の具を調色して所望の色を再現するための情報をユーザに対して提供することが可能となる。
【図面の簡単な説明】
【００２２】
【図１】本発明の実施形態を複数の装置で実現した場合の基本的構成を示す図である。
【図２】本発明の実施形態を一体型装置で実現した場合の基本的構成を示す図である。
【図３】本発明の実施形態におけるレイヤ構造について示す図である。
【図４】本発明の実施形態における基本的な画面構成について示す図である。
【図５】本発明の実施形態における基本的な動作を表すフローである。
【図６】本発明の実施形態における画面遷移について示す図（１／１０）である。
【図７】本発明の実施形態における画面遷移について示す図（２／１０）である。
【図８】本発明の実施形態における画面遷移について示す図（３／１０）である。
【図９】本発明の実施形態における画面遷移について示す図（４／１０）である。
【図１０】本発明の実施形態における画面遷移について示す図（５／１０）である。
【図１１】本発明の実施形態における画面遷移について示す図（６／１０）である。
【図１２】本発明の実施形態における画面遷移について示す図（７／１０）である。
【図１３】本発明の実施形態における画面遷移について示す図（８／１０）である。
【図１４】本発明の実施形態における画面遷移について示す図（９／１０）である。
【図１５】本発明の実施形態における画面遷移について示す図（１０／１０）である。
【発明を実施するための形態】
【００２３】
まず、本発明の実施形態の概略を説明する。本実施形態は、画像の解析結果に基づいて、絵の具の調色比率を表示するアプリケーション（以下、「本アプリケーション」と呼ぶ。）に関するものである。すなわち、本実施形態は、この本アプリケーションや、この本アプリケーションを実行する装置により実現される。
【００２４】
例えば、本実施形態は、カメラ付き多機能携帯端末やパーソナルコンピュータなどに於いて、デジタルカメラ等により撮影した写真の画像データまたはインターネット等を介して取得して保存した静止画の画像データの、ユーザが指定した部分の色情報を解析する。そして、その解析結果を絵の具の調色比率に変換して表示する。
【００２５】
このようにして表示された調色比率で絵の具を配合すれば、誰でも簡単に、解析の対象とした静止画の画像データの指定範囲の色を再現することができる。
【００２６】
つまり、本実施形態は、調色情報を提供することにより、誰でも簡単に調色ができるようになる、という効果を奏する。以上が本実施形態の概略である。
次に、本実施形態について図面を参照して詳細に説明する。
【００２７】
まず、図１を参照して本実施形態の構成について説明をする。図１を参照すると、本実施形態は、ディスプレイ１、演算処理装置２、操作受付部３及び記憶装置４を含む。
【００２８】
ディスプレイ１は、ユーザインタフェースや、ユーザに対して提供する各種の情報を表示する装置であり、例えば液晶ディスプレイ等により実現される。ディスプレイ１に表示されるユーザインタフェースや各種の情報は、演算処理装置２により生成される。
【００２９】
演算処理装置２は、演算処理を行う装置であり、記憶装置４に格納されている各種のデータを読み込み、これら各種のデータを用いた演算処理を行うことにより制御部として機能する。
【００３０】
操作受付部３はユーザからの操作を受け付けるための部分であり、例えばキーボードやマウスやタッチパネルにより実現される。操作受付部３が受け付けた操作の内容は、演算処理装置２に対して通知される。
【００３１】
記憶装置４は、演算処理装置２が利用する各種のデータを格納する装置である。記憶装置４には、各種のデータを格納するための格納エリアが在る。そして、この格納エリアには、本実施形態を実現するための本アプリケーションや、かかる本アプリケーションを機能させるために必要な各種のデータが格納されている。
【００３２】
より具体的には、図１に格納データ群５として示すように、本アプリケーション、画像データ、ワークデータ、レイヤ構造データ、ペンデータ、色解析データ、メーカデータ、色調色データ、及び解析済みデータ等のデータが記憶装置４の格納エリアに格納されている。ただし、これらのデータはあくまで一例であり、更に他のデータが記憶装置４の格納エリアに格納されていてもよい。
演算処理装置２と記憶装置４は、例えば、汎用のパーソナルコンピュータに含まれる装置により実現される。
【００３３】
具体的には、演算処理装置２は、ＣＰＵ（Central Processing Unit）等の演算処理により実現される。また、記憶装置４は、例えば、ＯＳ（Operating System）や各種の制御用プログラムを格納したＲＯＭ（Read Only Memory）やＨＤＤ（Hard disk drive）、ＣＰＵがプログラムを実行する上で一時的に必要とされるデータを格納するためのＲＡＭ（Random Access Memory）等により実現される。
【００３４】
そして、ＣＰＵがＲＯＭからＯＳや各種制御用プログラムや本アプリケーションを読み込み、読み込んだＯＳや制御用プログラムや本アプリケーションをＲＡＭに展開させながら、これらのＯＳや各種制御用プログラムや本アプリケーションに基づいた演算処理を行なう。そして、演算結果に基づいてディスプレイ１や操作受付部３を含む各種のハードウェアを制御することにより、本実施形態の機能は実現される。つまり、本実施形態は、ハードウェアとソフトウェアが協働することにより実現することができる。そして、このようにして実現された本実施形態により、以下で説明する本アプリケーションによる調色情報を提供するための処理が行われる。
なお、本実施形態を図１に示すように複数の別体の装置により実現してもよいが、図２に示すように、一体型装置として実現するようにしてもよい。
【００３５】
図２を参照すると、一体型装置６は、タッチパネル７を含む。ここで、タッチパネル７は、図１に示すディスプレイ１や操作受付部３と同等の役割を果たす。つまり、ユーザに対して、ユーザインタフェースや各種の情報を提供すると共に、このユーザインタフェースにて、ユーザからの操作を受け付ける役割を果たす。
【００３６】
また、一体型装置６内部には、演算処理装置２及び記憶装置４が内蔵され、この記憶装置４には、図１の記憶装置４と同様に格納データ群５が格納されている。格納データ群５に含まれるデータは、図１を参照して説明したものと同様である。そして、これら演算処理装置２及び記憶装置４は、図１の演算処理装置２及び記憶装置４と同様に機能する。
【００３７】
一体型装置６は、例えば、タブレット型の端末により実現することができる。また、例えば一体型装置６が更にカメラを備えており、このカメラで撮影した画像の画像データが記憶装置４に格納されるようにしてもよい。この場合に、かかるカメラで撮影することにより生成された画像データを対象として、本アプリケーションが処理を行うようにしてもよい。
【００３８】
次に、ディスプレイ１やタッチパネル７に表示される表示画面について図３及び図４を参照して説明をする。ここで、本実施形態では、表示に関して少なくとも２つの特徴を有している。具体的には、３つのレイヤ階層を用意するという第１の特徴と、予めデータや機能などを表示するための画面レイアウトを定義しているという第２の特徴を有している。
【００３９】
まず、第１の特徴である、３つのレイヤ階層について図３を参照して説明をする。本実施形態では、図３に示すように、ユーザから見える方向から順に、機能ボタンを表示したり機能に関する操作指示を受けたりするレイヤ階層である機能ボタンレイヤＬａ１と、機能ボタンレイヤＬａ１や機能結果表示レイヤＬａ２にて受け付けた操作指示の結果を表示するレイヤ階層である機能結果表示レイヤ階層Ｌａ２と、画像データ等を表示するレイヤ階層であるデータ表示レイヤ階層Ｌａ３の３つのレイヤを論理的に設ける。そして、この３つのレイヤそれぞれに表示した画像を重ね合わせて作成された表示画面をディスプレイ１やタッチパネル７へ表示する。
これら３つのレイヤそれぞれの役割を、より詳細に説明する。
【００４０】
機能ボタンレイヤＬａ１は、本アプリケーションの各機能を実行するための操作に必要な機能ボタンを表示し、この機能ボタンにより、ユーザの操作を受け付ける役割を果たす。そして、ユーザが、機能ボタンレイヤＬａ１に表示された、操作に必要な機能ボタンを選択することにより、本アプリケーションの操作が実現される。
【００４１】
機能結果表示レイヤＬａ２は、データ表示レイヤＬａ３に表示される画像自体に変更をかける事無く、アイコンや、ユーザの選択の有無や、解析結果等を表示するスクリーンの役割を果たす。
【００４２】
データ表示レイヤＬａ３は、ユーザにより選択された、撮影した写真の画像または保存された静止画を表示する役割を果たす、具体的には、ユーザの選択に対応した画像データが、格納データ群５に含まれる画像データのなかから読みだされてデータ表示レイヤＬａ３に表示される。
【００４３】
次に、第２の特徴として、本実施形態は、これら３つのレイヤ階層と連携して表示を行うために、予めデータや機能などを表示するための画面レイアウトを定義している。
かかる定義された画面レイアウトについて、図４に示す基本画面構成１００を参照して説明を行う。
【００４４】
図４に示すように、基本画面構成１００上には、画面タイトル表示エリア１０と、レイヤ切替ボタン３１と、表示／非表示切替ボタン３２と、メニューに戻るボタン３３と、機能ボタンエリア４０とが配置される。これらは、機能ボタンレイヤＬａ１に対応する部分である。
【００４５】
一方で、基本画面構成１００上には、メイン表示エリア２０も上に配置される。メイン表示エリア２０は、機能結果表示レイヤＬａ２とデータ表示レイヤＬａ３に対応する部分である。
【００４６】
これら基本画面構成１００上に表示される情報は、ユーザの操作に伴う画面遷移と共に変化する。その具体的な内容について、図５のフローと、図６以降の表示画面の例を表す図とを参照して説明する。
【００４７】
ユーザによる起動操作を受け付けると、演算処理装置２及び記憶装置４が協働して本アプリケーションを起動させる。これにより、演算処理装置２は、図５のフローに記載の、本アプリケーションによる処理を開始する。ここで、以下に説明する図５のフローに記載の本アプリケーションによる各処理は、演算処理装置２の制御により実現される。つまり、各処理の主体は、演算処理装置２であるが、以下の説明では、主体の記載を適宜省略する。
【００４８】
最初に、図６に示すメニュー画面１０１をディスプレイ１に表示する。具体的には、画面タイトル表示エリア１０に、画面名として「メニュー画面」を表示する。また、メイン表示エリア２０の機能結果表示レイヤＬａ２に対応する部分に、色解析２１−１、保存２１−２、及び終了２１−３の３つを表示する。これら３つは、メニュー画面１０１で選択できる機能を示すものであり、ユーザはこれら３つの機能の内の何れかを選択する。
【００４９】
ユーザによるこれらの機能の選択は、機能ボタンエリア４０に表示される、第１メニューボタン４１−１、第２メニューボタン４１−２、及び第３メニューボタン４１−３の何れかをユーザが選択することにより行われる。
これら３つの機能それぞれの内容は、以下の通りである。
【００５０】
第２メニューボタン４１−２が選択された場合に動作する機能である「保存２１−２」は、色解析した作業結果を、記憶装置４の格納データ群５に解析済みデータとして格納する機能である。
第３メニューボタン４１−３が選択された場合に動作する機能である「終了２１−３」は、本アプリケーションの動作を終了させる機能である。
【００５１】
第１メニューボタン４１−１が選択された場合に動作する機能である「写真から色解析２１−１」は、表示画面をメニュー画面１０１から写真データ選択画面１０２に遷移させる機能である。
次に、この写真データ選択画面１０２について図７を参照して説明をする。
写真データ選択画面１０２に遷移すると、画面タイトル表示エリア１０に、画面名として「写真データ選択画面」を表示する。
【００５２】
また、機能ボタンレイヤＬａ１に対応するエリアに、レイヤ切替ボタン３１、表示／非表示切替ボタン３２、メニューに戻るボタン３３、アイコン表示４２、タイトル表示４３、選択４４、及び決定４５を表示させアクティブにする。
これらの機能ボタンがユーザから選択された場合について説明をする。
【００５３】
レイヤ切替ボタン３１が選択されると、３つのレイヤを指定して操作を行うためにレイヤを切替える。具体的には、機能ボタンレイヤＬａ１の操作を選択するのか、機能結果表示レイヤＬａ２の操作を選択するのかを指定することができる。
【００５４】
表示／非表示切替ボタン３２が選択されると、メイン表示エリア２０の機能結果表示レイヤＬａ２に対応する部分に表示される、アイコン一覧２２やタイトル一覧２３やペン２５を表示したり非表示にしたりする事を切替える。
【００５５】
メニューに戻るボタン３３が選択されると、メニュー画面１０１に戻る。なお、図５のフローでは、図の見やすさを考慮して、メニューに戻るボタン３３が選択された場合にメニュー画面１０１に戻る旨の図示を省略する。
【００５６】
また、これら３つのボタンは以後遷移する各画面でも表示される。よって以後遷移する各画面の説明では、これら３つのボタンについての再度の説明は省略する。
【００５７】
機能ボタンエリア４０は、色解析を行うために必要な機能ボタンを配置するエリアであり、ここにも機能ボタンが配置される。ただし、機能ボタンエリア４０に配置される機能ボタンは常に同じものではなく、画面遷移に伴い変化する。そのため、以後遷移する各画面で新たに配置される機能ボタンについて説明をし、繰り返し配置されている機能ボタンについての再度の説明は省略する。
【００５８】
アイコン表示４２が選択されると、機能結果表示レイヤＬａ２に対応するメイン表示エリア２０に、画像データをアイコン型にてサムネイル表示する。かかる画像データは、格納データ群５に含まれている、デジタルカメラ等により撮影した写真の画像データまたはインターネット等を介して取得して保存した静止画の画像データを、演算処理装置２が読みだして取得する。
【００５９】
タイトル表示４３が選択されると、機能結果表示レイヤＬａ２に対応するメイン表示エリア２０に、画像データのタイトル名を表示する。かかる画像データは、格納データ群５に含まれている、デジタルカメラ等により撮影した写真の画像データまたはインターネット等を介して取得して保存した静止画の画像データを、演算処理装置２が読みだして取得する。
【００６０】
選択４４が選択されると、機能結果表示レイヤＬａ２に対応するメイン表示エリア２０表示されているアイコンまたはタイトルを選択する。例えば、選択４４が選択されるたびに、現在選択しているアイコンやタイトルの１つ隣のアイコンやタイトルを選択する
【００６１】
決定４５が選択されると、選択４４により選択されているアイコンまたはタイトルに対応する画像データを表示すると共に、色解析を行うための画面である、読取画面１０３に遷移させる。なお、この処理において画像データが開けない場合は、エラーメッセージを出力して、再度写真データ選択画面１０２に戻る。画像データが開けない場合とは、例えば画像データの画像形式が非対応の形式であった場合や、画像データが損傷している場合である。
【００６２】
次に、読取画面１０３について図８を参照して説明をする。
読取画面１０３に遷移すると、画面タイトル表示エリア１０に、画面名として「読取画面」を表示する。また、機能ボタンレイヤＬａ１に対応するエリアに、レイヤ切替ボタン３１、表示／非表示切替ボタン３２、メニューに戻るボタン３３、ペン表示４６、複数ポイント選択４７、読取開始４８、リセット４９を表示させアクティブにする。
【００６３】
加えて、遷移する１つ前の画面である画面写真データ選択画面１０２において決定４５ボタンで選択された画像データを、データ表示レイヤＬａ３に対応するメイン表示エリア２０に表示する。この処理により図８の読取画面１０３に示す写真データ２４のように、ユーザが、自身が選択した画像データの画像を見ることが出来るようになる。かかる画像データは、格納データ群５に含まれている、デジタルカメラ等により撮影した写真の画像データまたはインターネット等を介して取得して保存した静止画の画像データを、演算処理装置２が読みだして取得する。
【００６４】
ペン表示４６が選択されると、メイン表示エリア２０に対応する機能結果表示レイヤＬａ２にペン２５を表示する。ここで、ペン２５は、写真データ２４の色解析したい部分をポイントするために用いるペンである。ペン２５が表示された場合の画面について図９に読取画面１０４として示す。
【００６５】
図９の読取画面１０４に示すように、メイン表示エリア２０のデータ表示レイヤＬａ３に写真データ２４が表示されており、ペン２５は、メイン表示エリア２０の機能結果表示レイヤＬａ２に重ねて表示される。これにより、写真データ２４の画像自体を変形等することなく、写真データ２４の画像とペン２５とを表示することができる。ペン２５は、ユーザにより操作することが可能であり、例えばマウスや、タッチパネルによる操作により、メイン表示エリア２０の任意の部分をペン２５で選択することができる。
【００６６】
ここで、本実施形態では、ペン２５で選択された部分を、色解析の対象とする。この場合に、選択される部分が或る一点（例えば、１つの画素）であるとしてもよい。ただし、このように、選択される部分が或る一点（例えば、１つの画素）であると、ユーザが意図していない色の部分が選択される可能性がある。例えば、ユーザとしては、青空に対応する部分を選択したつもりが、青空に微小に含まれる雲の部分の画素を選択してしまうような場合も考えられる。
【００６７】
そこで、本実施形態では、ペン２５で複数箇所を選択させ、これら選択された複数箇所により特定される範囲を読取範囲として、以後の処理を行うことを可能とする。そのために、本実施形態では、複数ポイント選択４７を用意する。
この複数ポイント選択４７がユーザに選択された場合の画面について、図１０の読取画面１０５を参照して説明する。
【００６８】
図１０の読取画面１０５に選択ポイント２６として示すように、ユーザは、ペン２５で、複数の箇所（複数の点）を選択する。これにより、複数の箇所（複数の点）により特定される選択エリア２７が、色解析したい部分として範囲指定される。例えば、選択ポイント２６として選択された３つの箇所（３つの点）を頂点とする三角形が範囲指定される。つまり、データ表示レイヤＬａ３に開いている写真データ２４と座標連動して、色解析したい範囲を機能結果表示レイヤＬａ２に表示しながら範囲指定する。
【００６９】
このように選択エリア２７が選択された状態で、更に読取開始４８が選択されると、選択エリア２７に表示されている写真データ２４の画像について色解析を行うために、読取範囲の座標に基づき読取り範囲内の写真データ２４の各画素の色を読み取る。
【００７０】
そして、読み取った各画素の色を解析して光の三原色ＲＧＢにより数値化をする。また、数値化した各画素の値の平均の値を読取り範囲内の色のＲＧＢの値とする。そして、写真データ２４内に同じＲＧＢ値の部分があるならば、その部分も選択して、機能結果表示レイヤＬａ２に表示する。つまり、選択エリア２７としてユーザに指定された部分に表示されている写真データ２４の画像の色と同じ色の部分を全て、選択エリア２７として新たに選択する。このようにして、同じ色の部分を全て、選択エリア２７として新たに選択した状態の画面を、同色表示画面１０６として図１１に示す。
同色表示画面１０６に遷移すると、画面タイトル表示エリア１０に、画面名として「同色表示画面」を表示する。
【００７１】
また、今回の写真データ２４では、山の裾野部分と、山の頂上付近の部分と、背景とで、色が異なっている。そして、図１０に示したように、山の裾野部分の一部をユーザが選択エリア２７として選択したことから、図１１に示すように、同じ色である、山の裾野部分の全体が新たに選択エリア２７として選択されることとなる。なお、この場合に新たに選択エリア２７として選択された範囲が明確となるように、選択エリア２７の色を、例えば赤色等の、他の箇所と区別しやすい色にして表示するようにしてもよい。
【００７２】
このように、同色表示を行って、同色の部分全てを選択することについて図１２の同色表示画面１０７を参照して説明を行う。同色表示画面１０７は、同色部分全てを選択する場合の説明に特化した図面であり、説明のために本来表示されている画像データ２４の図示を省略している。前提として、同色表示画面１０７中の対象色７１と、対象色７３が、ＲＧＢの値が同じ、すなわち、同じ色であるとする。一方で、同色表示画面１０７中の対象色７２と、対象色７４が、ＲＧＢの値が同じ、すなわち、同じ色であるとする。
【００７３】
この状態で、例えば対象色７３の部分が、ユーザに選択エリア２７として選択されたとする。すると、ＲＧＢの値が同じ、すなわち、同じ色である対象色７１も含めて選択エリア２７として選択される。一方で、異なる色である対象色７２や対象色７４の部分は選択されない。
【００７４】
また他にも、例えば対象色７２の部分が、ユーザに選択エリア２７として選択されたとする。すると、ＲＧＢの値が同じ、すなわち、同じ色である対象色７４も含めて選択エリア２７として選択される。一方で、異なる色である対象色７１や対象色７３の部分は選択されない。
【００７５】
このようにして、同色表示を行って、同色の部分全てを選択することにより、選択した部分がどこの部分までを含むのかが分かりやすくなる。また、離れた場所にある複数の領域が同一の色であることが分かる。そのため、離れた場所毎に選択を行う必要がなくなる。更に、どの部分と、どの部分とを、同じ調色をした絵の具で塗ればよいのかが分かりやすくなる。
【００７６】
なお、上述した説明では、ＲＧＢの値が同じ部分を同じ色として扱って、選択エリア２７として新たに選択すると説明しているが、ＲＧＢの値が完全に一致している部分だけでなく、ＲＧＢの値が多少相違している場合も同じ色として扱って、選択エリア２７として新たに選択するようにしてもよい。つまり、同じ色、とは必ずしも完全一致を指すものではなく、多少の相違も許容するものであるとしてもよい。
【００７７】
なぜならば、このようにすることなく、完全に一致している部分のみを同じ色として扱うと、画面内の非常に多くの箇所を、それぞれ異なる選択エリア２７として取り扱うこととなるからである。そして、非常に多くの選択エリア２７の数の分だけの、非常に多くの解析や調色を行う必要が生じるからである。
なお、同じＲＧＢの値の部分が選択出来ない場合は、エラーメッセージを出力して、再度読取画面１０３に戻る。
【００７８】
これらの処理の過程において、リセット４９が選択されると、複数ポイント選択４７により選択した色解析範囲の選択をキャンセルし、再度読取画面１０３に戻る。
【００７９】
次に、このようにして同色の部分が全て１つの選択エリア２７と新たに選択された状態で、解析開始５０が選択されると、選択エリア２７に対する解析が開始される。具体的には、この選択エリア２７に含まれる各画素のＲＧＢの値を平均化したＲＧＢの値が算出し、算出したＲＧＢの値を、ＣＭＹＫの値に換算する。
【００８０】
そのために、光の三原色ＲＧＢを色料の三原色ＣＭＹＫに換算するためのデータ表を、予め格納データ群５に色解析データとして格納しておく。つまり、光の三原色ＲＧＢの値の組み合わせ毎に、対応する色を再現するためのＣＭＹＫの値の組み合わせを色解析データとして格納しておく。そして、この色解析データを用いて、ＲＧＢの値の組み合わせをＣＭＹＫの値の組み合わせに換算して、調色の組み合わせとして算出する。この処理で光の色三原色ＲＧＢ対応する色料の三原色ＣＭＹＫの選択が出来ない場合は、演算処理装置２が機能結果表示レイヤＬａ２にエラーメッセージを出力して、再度読取画面１０３に戻る。
【００８１】
他方で、本実施形態では、予め利用する絵の具のメーカを設定しておく。そして、その絵の具メーカの絵の具で、ＣＭＹＫにより定義される色を再現するための絵の具の種類と、その調色比率を、予め格納データ群５に色調色データとして格納しておく。つまり、ＣＭＹＫの値の組み合わせ毎に、色を再現するための絵の具の種類と、その調色比率を格納しておく。なお、かかる色調色データは、例えば絵の具メーカにより作成され、本アプリケーションを作成するメーカや、本アプリケーションを利用するユーザに提供される。なお、色調色データには、解析データ２８に対応する色を再現するための、薄め度合いも含ませるようにするとよい。薄め度合いとは、例えば水彩絵の具であれば、絵の具と、薄め液である水との比率である。また、絵の具のメーカが複数シリーズの絵の具を提供しているような場合には、予め利用する絵の具のメーカと利用する絵の具のシリーズとを設定しておくようにしてもよい。
【００８２】
そして、本実施形態では、色解析データを用いて算出した調色の組み合わせ（ＣＭＹＫの値の組み合わせ）と、設定されている絵の具のメーカと、色調色データとに基づいて、解析データ２８に対応する色を再現するための、絵の具の種類と、その調色比率を調色情報として作成する。また、調色情報には、解析データ２８に対応する色を再現するための、薄め度合いも含ませる。なお、調色情報が算出できないような場合には、機能結果表示レイヤＬａ２にエラーメッセージを出力して、再度読取画面１０３に戻る。
【００８３】
また、調色情報が作成された選択エリア２７には、作成された調色情報が解析データとして紐付けられ、格納データ群５に、ワークデータとして格納される。例えば、解析データが紐付けられた範囲を特定するための座標情報と、調色情報とがワークデータとして格納される。
【００８４】
また、解析データが作成済みであることをユーザに知らせる必要がある。そのために、例えば、図１４の読取画面１０９に示すように、選択エリア２７に「１」の番号と吹き出しとを付すようにして、この選択エリア２７は既に解析済みであり、「１」の番号が付された解析データ２８がこの選択エリア２７について作成されている旨を表示するようにするとよい。
【００８５】
また、他のエリアついて解析データ２８を作成する場合には、図１３の読取画面１０８において、ユーザがペン表示４６を選択する。ペン表示４６が選択されると、再度ペン２５を表示する。そして、既に選択エリア２７として選択された部分以外の部分を新たに選択エリア２７として選択できるようにする。
【００８６】
選択方法については、すでに選択した選択エリア２７と同様であり、図１０の読取画面１０５に示すようにして新たに複数の選択ポイント２６を選択することにより行う。そして、新たに選択された複数の選択ポイント２６により特定される領域を新たな選択エリア２７とする。更に、この状態で新たに読取開始４８が選択されたならば、同じ色の部分を含めて選択エリア２７として選択する。つまり、本アプリケーションでは、複数の異なる選択エリア２７を新たに選択することができる。また、異なる選択エリア２７を選択した状態で、解析開始５０が選択されたならば、この異なる選択エリア２７についても上述のようにして調色情報が作成され、ワークデータに格納される。また、表示画面では、例えば、この異なる選択エリア２７に「２」の番号と吹き出しとを付すようにして、この異なる選択エリア２７は既に解析済みであり、「２」の番号が付された解析データ２８がこの異なる選択エリア２７について作成されている旨を表示するようにするとよい。ここで、番号を「１」から「２」にしているのは、各解析データ２８をそれぞれ区別できるようにするためである。
【００８７】
次に、このように解析を行って作成した調色情報を、ユーザに対して表示するための表示画面について説明を行う。
図１３の読取画面１０８や、図１４の読取画面１０９において何れかの解析データ２８が選択されている状態で、解析データ表示５１が選択されると、この解析データ２８に対応する調色情報をユーザに対して表示するための表示画面である、図１５の解析済みデータ表示画面１１０に遷移する。解析済みデータ表示画面１１０に遷移すると、画面タイトル表示エリア１０に、画面名として「解析済みデータ表示画面」を表示する。
【００８８】
また、メイン表示エリア２０には、調色比率６１と、メーカ選択６２を表示する。調色比率６１は、ワークデータに格納されている上述の調色情報を表示する部分である。調色比率６１には、解析データ２８に対応する色を再現するための、絵の具の種類と、その調色比率と、薄め度合いとが含まれる。具体的には、絵の具の種類が文字で表され、その調色比率が数字と棒グラフで表され、薄め度合いが絵の具と薄め液の棒グラフで表される。
なお、絵の具の種類は、色料の三原色であるＣＭＹＫと白色であるようにしてもよいが、緑等の他の色を含んでいてもよい。
【００８９】
また、メーカ選択６２では絵の具のメーカを選択することができるものとする。そして、絵の具のメーカとして、調色情報を生成した時点に設定されていたメーカとは異なるメーカが選択されたならば、このメーカの色調色データを用いて、調色情報を生成し直す。そして、この生成し直した色調情報に基づいて、調色比率６１の内容を更新する。
【００９０】
また、戻るボタン５２が選択されると、解析済みデータ表示画面１１０に遷移する前の表示画面である、読取画面１０８や、読取画面１０９に遷移する。
以上説明した本実施形態の効果について説明するにあたり、その前提となる、調色に関する問題点について、以下詳細に説明をする。
【００９１】
例えば、美しい風景を観たときに思わずカメラで写真に収める時がある。またカメラではなく画用紙に下書きをして、絵の具で美しい風景を風景画として描くことが出来れば、とても充実した時間を過ごす事が出来てさぞ楽しい事だろうと考える時がある。
更に、美しい風景の現地で風景画を描かないまでも、写真または保存した静止画の画像データを基に画用紙に風景画を描く事も楽しい。
【００９２】
しかし実際は、現地に行ってみないと美しいと感じる風景に巡り合う事が出来るか予想出来ないので、風景画を描く道具を持ち歩くことが無くなってしまう。
【００９３】
そもそも美しい風景を風景画として描くためには、下書きと調色という作業が有り、実際の風景を再現するとなると高い知識とスキルが必要となる。このスキルは絶対音感を持っているか否かに匹敵するスキルで、多くの人は風景画を描く下書きと調色について高い知識とスキルを持っていない事が多い。
【００９４】
その場合下書きはそれなりに描けるが、調色を行うとなると全く異なる色合いとなり別の風景のように仕上がってしまう事が問題となっている。この様な人たちの多くは、本当は自分自身で風景画を描きたいが、この問題のせいで美しい風景を観ても風景画を描こうとは考えられない。
【００９５】
以上が、調色に関する問題点である。これに対して、本実施形態を利用することにより、以下に示すような効果を奏することができ、上述した調色に関する問題点を解決することができる。
【００９６】
具体的には、本実施形態によれば調色情報を提供することから、水彩絵の具などで絵を描く場合、見たままの色、感じた色を誰でも容易に再現する事が出来る。この点について具体例を用いて説明をする。例えば、ピンク色は今までの経験的に白色と赤色を混ぜれば出来そうと思い出す事が出来る。しかしながら、それはそもそもピンク色を調色した経験がある場合で、ピンク色をまだ調色した事が無い小学生低学年や大人でも中間色などは、調色出来ない。しかし、本実施形態で調色比率を知ることが出来るようになる、という効果を奏する。
【００９７】
また、本実施形態によれば調色情報を提供することから、色を再現する調色の感覚が人それぞれであっても、風景や撮影した写真または保存した静止画を誰もが均一な絵を描く事が出来るようになる。そのため絵をデッサンして描き方を勉強する場合などに特に高い効果が期待できる。
【００９８】
更に、本実施形態によれば調色情報を提供することから、インターネットやデジタルカメラの色見本のカラーコードに頼らなくても、どの色の絵の具を混ぜたら好いのか誰でも簡単に分かる。
更に、本実施形態によれば調色情報を提供することから、絵の具の調色知識が無くても、必要以上の絵の具を無駄に消費することが無くなる。
【００９９】
更に、本実施形態によれば調色情報を提供することから、絵の具の調色知識がなくても、見たままの色、感じた色が誰でも簡単に再現する事が出来る。
【０１００】
更に、本実施形態によれば調色情報を提供することから、絵の具の調色知識がなくても、絵の完成をあきらめる事無く、誰でも簡単に絵を完成させることが出来るようになる。
【０１０１】
更に、水彩絵の具などは、調色の配合の際薄め液（水彩絵の具の場合は、水）の分量により質感や色の透過度が異なり、さらに調色を難しくしていたが、本実施形態によれば調色情報を提供することから、誰でも簡単に薄め液の分量を決める事が出来るようになる。
【０１０２】
なお、上述の実施形態に含まれる各装置は、ハードウェア、ソフトウェア又はこれらの組み合わせにより実現することができる。また、上述の実施形態含まれる各装置により行なわれる調色情報提供方法も、ハードウェア、ソフトウェア又はこれらの組み合わせにより実現することができる。ここで、ソフトウェアによって実現されるとは、コンピュータがプログラムを読み込んで実行することにより実現されることを意味する。
【０１０３】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory）)を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１０４】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【０１０５】
例えば、上述した実施形態の機能が実現できれば、各データの保持の仕方や操作方法や画面の表示方法は、特に限定されないものとする。例えば、上述の実施形態では、画面表示を行うにあたり、３つのレイヤと、このレイヤに対応して予め定義された画面レイアウトとを有していた。ただし、これは本実施形態による表示を実現するための一例であり、本実施形態が提供してようとしている機能が得られれば、表示の実現方法はこの通りでなくともよい。
上記の実施形態の一部又は全部は、以下の付記のようにも記載されうるが、以下には限られない。
【０１０６】
（付記１）  画像上でユーザが選択した部分の色を解析する解析手段と、
前記ユーザが選択した部分の色を絵の具の調色により再現するための情報である調色情報を、前記解析手段による解析結果に基づいて算出する算出手段と、
前記算出した調色情報を出力する出力手段と、
を備えることを特徴とする調色情報提供装置。
【０１０７】
（付記２）  前記調色情報は、前記ユーザが選択した部分の色を調色により再現するために用いる絵の具が何れであるのかと該絵の具の調色比率とを特定した情報を含むことを特徴とする付記１に記載の調色情報提供装置。
【０１０８】
（付記３）  前記調色情報は、前記ユーザが選択した部分の色を調色により再現するために用いる絵の具と薄め液の比率を示す度合いである、薄め度合いを特定した情報を含むことを特徴とする付記１に記載の調色情報提供装置。
【０１０９】
（付記４）  前記画像は光の三原色で表示されるものであり、該光の三原色を少なくとも色料の三原色を含んだ色に変換した情報に基づいて、前記調色情報を算出することを特徴とする付記１乃至３の何れか１に記載の調色情報提供装置。
【０１１０】
（付記５）  前記少なくとも色料の三原色を含んだ色と、該少なくとも色料の三原色を含んだ色を調色により再現するために用いる絵の具が何れであるのかと該絵の具の調色比率とを対応付けた情報に基づいて、前記調色情報を算出することを特徴とする付記４に記載の調色情報提供装置。
【０１１１】
（付記６）  前記ユーザから前記画像上の複数箇所の選択を受け付け、該選択を受け付けた複数箇所により特定される範囲に含まれる各画素の色の平均した色を前記解析手段による前記解析の対象とすることを特徴とする付記１乃至５の何れか１に記載の調色情報提供装置。
【０１１２】
（付記７）  前記画像上でユーザが選択した部分と、同一又は近似する色の部分も前記ユーザに選択されたとして取り扱うことを特徴とする付記１乃至６の何れか１に記載の調色情報提供装置。
【０１１３】
（付記８）  前記画像を表示する第３のレイヤと、前記第３のレイヤに表示される前記画像に重畳して所定の情報を表示する第２のレイヤと、ユーザによる操作を受け付ける第３のレイヤと、を生成し、
該生成した３つのレイヤを、ユーザの視線から近い順に第１のレイヤ、第２のレイヤ、第３のレイヤとして並べて表示することを特徴とする付記１乃至７の何れか１に記載の調色情報提供装置。
【０１１４】
（付記９）  コンピュータが行う調色情報提供方法であって、
画像上でユーザが選択した部分の色を解析する解析ステップと、
前記ユーザが選択した部分の色を絵の具の調色により再現するための情報である調色情報を、前記解析ステップにおける解析結果に基づいて算出する算出ステップと、
前記算出した調色情報を出力する出力ステップと、
を備えることを特徴とする調色情報提供装置。
【０１１５】
（付記１０）  コンピュータを調色情報提供装置として機能させるための調色情報提供プログラムであって、
前記コンピュータを、
画像上でユーザが選択した部分の色を解析する解析手段と、
前記ユーザが選択した部分の色を絵の具の調色により再現するための情報である調色情報を、前記解析手段による解析結果に基づいて算出する算出手段と、
前記算出した調色情報を出力する出力手段と、
を備える調色情報提供装置として機能させることを特徴とする調色情報提供プログラム。
【産業上の利用可能性】
【０１１６】
本発明は、調色を行う場面に関連して好適である。例えば、ユーザ自身が絵を描く場面のみならず、絵を描くことを教える場面等にも好適である。また、他にも例えば、絵の具メーカが、本発明の実施形態と連動させる事で、絵を描くために必要な絵の具をネットワーク経由でオンライン発注できる仕組みを構築する用途にも好適である。更に、他にも建物設計事務所や機械設計事務所などで、構造物の塗装を検討する時に、調達が必要な色を本発明の実施形態で知ることで、調達量の最適化を行うという用途にも好適である。
【符号の説明】
【０１１７】
１  ディスプレイ
２  演算処理装置
３  操作受付部
４  記憶装置
５  格納データ群
６  一体型システム
７  タッチパネル
１０  画面タイトル表示エリア
２０  メイン表示エリア
２１  メニュー選択
２１−１  色解析
２１−２  保存
２１−３  終了
２２  アイコン一覧
２２−１、２２−２、２２−３  アイコン
２３  タイトル一覧
２３−１、２３−２、２３−３  タイトル
２４  メイン表示エリア
２５  ペン
２６  選択ポイント
２７  選択エリア
２８  解析データ
３１  レイヤ切替ボタン
３２  表示／非表示切替ボタン
３３  メニューに戻るボタン
４０  機能ボタンエリア
４１−１  第１メニューボタン
４１−２  第２メニューボタン
４１−３  第３メニューボタン
４２  アイコン表示
４３  タイトル表示
４４  選択
４５  決定
４６  ペン表示
４７  複数ポイント選択
４８  読取開始
４９  リセット
５０  解析開始
５１  解析データ
５２  戻る
７１、７２、７３、７４  対象色
１００  基本画面構成
１０１  メニュー画面
１０２  写真データ選択画面
１０３、１０４、１０５、１０８、１０９  読取画面
１０６、１０７  同色表示画面
１１０  解析済みデータ表示画面
Ｌａ１  機能ボタンレイヤ
Ｌａ２  機能結果表示レイヤ
Ｌａ３  データ表示レイヤ
【図１】
2018101254.tif 000003
【図２】
2018101254.tif 000004
【図３】
2018101254.tif 000005
【図４】
2018101254.tif 000006
【図５】
2018101254.tif 000007
【図６】
2018101254.tif 000008
【図７】
2018101254.tif 000009
【図８】
2018101254.tif 000010
【図９】
2018101254.tif 000011
【図１０】
2018101254.tif 000012
【図１１】
2018101254.tif 000013
【図１２】
2018101254.tif 000014
【図１３】
2018101254.tif 000015
【図１４】
2018101254.tif 000016
【図１５】
2018101254.tif 000017